(57)【要約】【課題】熱源機５の給湯用熱交換器５１で加熱された温水を浴槽に落下させる打たせ湯ノズル４１を備える打たせ湯装置において、打たせ湯運転停止時のウォータハンマの発生を防止して、且つ、打たせ湯を応答性良く停止できるようにする。【解決手段】打たせ湯ノズル４１に給湯用熱交換器５１からの温水を供給する打たせ湯水路４２に介設した打たせ湯電磁弁４６と、打たせ湯電磁弁４６より上流側の打たせ湯水路４２の部分に介設した水量調節弁４４と、両弁４４、４６の間の打たせ湯水路４２の部分から分岐させた排水路４７と、排水路４７に介設した排水電磁弁４８とを備える。うたせ湯運転の停止時に、排水電磁弁４８を開弁させてから打たせ湯電磁弁４６を閉弁させ、その後に水量調節弁４４により水量を減少させてから排水電磁弁４８を閉弁させる。【選択図】図３
2010133670.tif 000002
【特許請求の範囲】
【請求項１】
熱源機の給湯用熱交換器で加熱された温水を浴槽に落下させる打たせ湯ノズルを備える打たせ湯装置であって、
打たせ湯ノズルに給湯用熱交換器からの温水を供給する打たせ湯水路に介設した打たせ湯電磁弁と、
打たせ湯電磁弁より上流側の打たせ湯水路の部分に介設した水量調節弁と、
水量調節弁と打たせ湯電磁弁との間の打たせ湯水路の部分から分岐させた排水路と、
排水路に介設した排水電磁弁と、
打たせ湯電磁弁、水量調節弁及び排水電磁弁を制御する制御手段とを備え、
制御手段は、打たせ湯電磁弁を開弁させて打たせ湯ノズルから温水を落下させる打たせ湯運転の停止時に、排水電磁弁を開弁させてから打たせ湯電磁弁を閉弁させ、その後に水量調節弁により水量を減少させてから排水電磁弁を閉弁させる制御を行うことを特徴とする打たせ湯装置。
【発明の詳細な説明】
【技術分野】
【０００１】
本発明は、熱源機の給湯用熱交換器で加熱された温水を浴槽に落下させる打たせ湯ノズルを備える打たせ湯装置に関する。
【背景技術】
【０００２】
従来の打たせ湯装置は、浴槽内の湯を熱源機との間に循環させる風呂追い焚き回路から分岐させた打たせ湯水路を介して打たせ湯ノズルに浴槽内の湯を供給するように構成されている(例えば、特許文献１参照)。
【０００３】
然し、浴槽内の湯を打たせ湯ノズルから落下させることは衛生上好ましくない。そのため、熱源機の給湯用熱交換器で加熱された温水を打たせ湯ノズルから落下させることが望まれている。
【０００４】
この場合、打たせ湯ノズルに給湯用熱交換器からの温水を供給する打たせ湯水路に打たせ湯電磁弁を介設し、この電磁弁の開弁で打たせ湯運転を開始し、また、電磁弁の閉弁で打たせ湯運転を停止することが考えられる。然し、打たせ湯運転の停止時に、打たせ湯電磁弁を単純に閉弁させたのでは、ウォータハンマを生ずる。また、ウォータハンマの発生を防止するために、打たせ湯水路に流量調節弁を介設し、打たせ湯運転の停止時に、水量調節弁により水量を徐々に減少させてから打たせ湯電磁弁を閉弁させることも考えられる。然し、これでは、打たせ湯が停止されるまでに時間がかかってしまう。
【特許文献１】特開２００１−４１４７４号公報
【発明の開示】
【発明が解決しようとする課題】
【０００５】
本発明は、以上の点に鑑み、熱源機の給湯用熱交換器で加熱された温水を打たせ湯ノズルに供給するものにおける打たせ湯運転停止時のウォータハンマの発生を防止して、且つ、打たせ湯を応答性良く停止できるようにした打たせ湯装置を提供することをその課題としている。
【課題を解決するための手段】
【０００６】
上記課題を解決するために、本発明は、熱源機の給湯用熱交換器で加熱された温水を浴槽に落下させる打たせ湯ノズルを備える打たせ湯装置であって、打たせ湯ノズルに給湯用熱交換器からの温水を供給する打たせ湯水路に介設した打たせ湯電磁弁と、打たせ湯電磁弁より上流側の打たせ湯水路の部分に介設した水量調節弁と、水量調節弁と打たせ湯電磁弁との間の打たせ湯水路の部分から分岐させた排水路と、排水路に介設した排水電磁弁と、打たせ湯電磁弁、水量調節弁及び排水電磁弁を制御する制御手段とを備え、制御手段は、打たせ湯電磁弁を開弁させて打たせ湯ノズルから温水を落下させる打たせ湯運転の停止時に、排水電磁弁を開弁させてから打たせ湯電磁弁を閉弁させ、その後に水量調節弁により水量を減少させてから排水電磁弁を閉弁させる制御を行うことを特徴とする。
【０００７】
本発明によれば、打たせ湯電磁弁の閉弁に先行して排水電磁弁を開弁させるため、打たせ湯電磁弁の閉弁時には、給湯用熱交換器からの温水が排水路に流れ、ウォータハンマは発生しない。また、水量調節弁により水量を減少させてから排水電磁弁を閉弁させるため、排水電磁弁の閉弁時にウォータハンマが発生することもない。更に、水量調節弁による水量の減少を待つことなく打たせ湯電磁弁を閉弁させるため、打たせ湯を応答性良く停止することができる。
【発明を実施するための最良の形態】
【０００８】
図１を参照して、ＢＲは浴室を示している。浴室ＢＲには、洗い場ＢＲａの横方向一方(右方)に位置させて浴槽ＢＴが設置されている。また、浴室ＢＲの天井部には、浴槽ＢＴの上方に位置させて浴室暖房機１が設置されている。
【０００９】
図２、図３を参照して、浴室暖房機１は、暖房装置２と、ミスト装置３と、打たせ湯装置４とを備えている。また、これら各装置２，３，４には、図３に示す如く、給湯暖房用の熱源機５から温水や熱媒体(水や不凍液等)が供給される。尚、熱源機５は、給湯バーナ５１ａで加熱される給湯用熱交換器５１と、暖房用バーナ５２ａで加熱される暖房用熱交換器５２とを備える。
【００１０】
暖房装置２は、浴室暖房機１の暖房機本体１ａ内に、暖房機本体１ａの下面カバー１ｂに形成した固定ルーバ２１ａ付きの吸込み口２１と可変ルーバ２２ａ付きの吹出し口２２とを連通するように画成した通風路２３と、通風路２３を介して浴室ＢＲの空気を循環させる循環ファン２４と、通風路２３に流れる空気を加熱する放熱器２５とを備えている。放熱器２５には、熱源機５の暖房用熱交換器５２に連なる主熱媒循環路２６が接続されている。主熱媒循環路２６には、循環ポンプ２６ａと、暖房用熱媒弁２６ｂと、シスターン２６ｃとが介設されており、循環ポンプ２６ａの作動及び暖房用熱媒弁２６ｂの開弁で暖房用熱交換器５２と放熱器２５との間に熱媒体が循環する。熱媒体は暖房用熱交換器５２で加熱され、放熱器２５で放熱する。そして、循環ファン２４の作動により吸込み口２１から通風路２３に吸込まれた浴室ＢＲの空気が放熱器２５で加熱され、温風となって吹出し口２２から浴室ＢＲ内に送風される。
【００１１】
尚、吸込み口２１の上側にはフィルタ２７が装着されている。そして、下面カバー１ｂの吸込み口２１と吹出し口２２との間の部分に、フィルタ２７の側端の把手部２７ａが収まる出入れ口２７ｂを形成し、フィルタ２７を出入れ口２７ｂを通して抜き差し自在としている。
【００１２】
ミスト装置３は、下面カバー１ｂの吹出し口２２の横方向他方に隣接する部分に配置したミストノズル３１と、水道水をミストノズル３１に供給するミスト水路３２とを備えている。ミスト水路３２には、上流側から順に、水フィルタ３３、給水元電磁弁３４、逆止弁３５、液々熱交換器３６、ミスト温度センサ３７及びミスト電磁弁３８が介設されている。液々熱交換器３６には、主熱媒循環路２６から分岐した副熱媒循環路３６ａが接続されている。副熱媒循環路３６ａには流量調節弁３６ｂが介設されている。そして、流量調節弁３６ｂの開弁で熱媒体が液々熱交換器３６に供給され、ミスト水路３２に流れる水が熱媒体の熱で加熱され、温水となってミストノズル３１に供給される。ミストノズル３１から噴霧された温水ミストは吹出し口２２から送風される温風に乗って浴室ＢＲ内に供給される。また、ミスト温度センサ３７の検出温度が所定の設定温度になるように、流量調節弁３６ｂにより液々熱交換器３６への熱媒体の供給流量が制御される。
【００１３】
打たせ湯装置４は、吸込み口２１の一部を閉塞する閉塞板部２１ｂに形成される透孔２１ｃに臨ませて配置した打たせ湯ノズル４１と、熱源機５の給湯用熱交換器５１で加熱された温水を打たせ湯ノズル４１に供給する、給湯用熱交換器５１の出口に連なる出湯路５１ｂから分岐させた打たせ湯水路４２とを備えている。そして、温水が打たせ湯ノズル４１から図１に示す如く浴槽ＢＴに落下するようにしている。尚、打たせ湯ノズル４１には、透孔２１ｃを通して暖房機本体１ａの内部が見えることを防止するための目隠し板４１ａが連結されている。また、出湯路５１ｂの下流端には、家庭内に配置される図示省略した出湯栓が接続される。
【００１４】
打たせ湯水路４２には、上流側から順に、水フィルタ４３、水量センサを具備するサーボ式の水量調節弁４４、打たせ湯温度センサ４５及び打たせ湯電磁弁４６が介設されている。打たせ湯装置４は、更に、水量調節弁４４と打たせ湯電磁弁４６との間、より具体的には、打たせ湯温度センサ４５と打たせ湯電磁弁４６との間の打たせ湯水路４２の部分から分岐させた排水路４７を備えている。そして、この排水路４７に排水電磁弁４８が介設されている。尚、排水路４７からの水は、浴室ＢＲの洗い場ＢＲａの片隅に排水されるようになっている。
【００１５】
また、打たせ湯水路４２の排水路４７の分岐個所には、ミスト温度センサ３７とミスト電磁弁３８との間のミスト水路３２の部分が連通路３９を介して接続されている。そして、ミストノズル３１から温水を噴霧するミスト運転の停止時に、排水電磁弁４８を開弁させて、ミスト水路３２内の残留水を排水路４７を介して排水するようにしている。
【００１６】
上記した循環ファン２４、暖房用熱媒弁２６ｂ、給水元電磁弁３４、流量調節弁３６ｂ、ミスト電磁弁３８、水量調節弁４４、打たせ湯電磁弁４６及び排水電磁弁４８は、図２に示す如く浴室暖房機１に設けた制御手段たるコントローラ６で制御される。コントローラ６には、浴室暖房機用のリモコン７が接続されている。リモコン７には、暖房スイッチ７１と、ミストスイッチ７２と、打たせ湯スイッチ７３と、停止スイッチ７４と、暖房温度や打たせ湯の水量等を可変設定するアップダウンスイッチ７５と、時刻、暖房設定温度、打たせ湯設定水量等を選択表示する表示部７６とが設けられている。
【００１７】
暖房スイッチ７１をオンすると、コントローラ６から熱源機５に作動指令が送られて、循環ポンプ２６ａと暖房用バーナ５２ａとが作動され、更に、暖房用熱媒弁２６ｂが開弁されて、放熱器２５に暖房用熱交換器２５で加熱された熱媒体が供給されると共に、循環ファン２４が作動されて、浴室ＢＲ内に温風を送風する暖房運転が行われる。
【００１８】
ミストスイッチ７２をオンすると、上述した暖房運転と同様の制御が行われると共に流量調節弁３６ｂが開弁されて、液々熱交換器３６に暖房用熱交換器２５で加熱された熱媒体が供給され、更に、給水元電磁弁３４及びミスト電磁弁３８が開弁されて、液々熱交換器３６で加熱された温水をミストノズル３１から噴霧するミスト運転が行われる。
【００１９】
打たせ湯スイッチ７３をオンすると、打たせ湯電磁弁４６が開弁され、給湯用熱交換器５１で加熱された温水を打たせ湯ノズル４１から落下させる打たせ湯運転が行われる。以下、打たせ湯運転時の制御について図４を参照して説明する。
【００２０】
打たせ湯制御では、先ず、ＳＴＥＰ１で打たせ湯スイッチ７３がオンされたか否かを判別し、オンされたときは、ＳＴＥＰ２で排水電磁弁４８を開弁させて、冷水が落下することを防止するための初期排水を行う。また、ＳＴＥＰ２では、水量調節弁４４により水量を所定の排水設定値(例えば、８Ｌ／分)に調節する。次に、ＳＴＥＰ３で打たせ湯温度センサ４５の検出温度Ｔが所定の下限温度ＹＴＬ(例えば、３５℃)以上で、且つ、所定の上限温度ＹＴＨ(例えば、４７℃)以下であるか否かを判別し、ＹＴＬ≦Ｔ≦ＹＴＨであれば、ＳＴＥＰ４でこの状態が所定時間(例えば、５秒)継続したか否かを判別する。
【００２１】
所定時間継続してＹＴＬ≦Ｔ≦ＹＴＨになったときは、ＳＴＥＰ５に進み、打たせ湯電磁弁４６を開弁させると共に、排水電磁弁４８を閉弁させ、更に、水量調節弁４４により水量を打たせ湯設定値(例えば、８Ｌ／分〜１２Ｌ／分の間で可変)に調節する。これにより、給湯用熱交換器５１で加熱された適温の温水が設定値の水量で打たせ湯ノズル４１から落下する。
【００２２】
次に、ＳＴＥＰ６に進み、打たせ湯温度センサ４５の検出温度ＴがＹＴＬ≦Ｔ≦ＹＴＨの範囲に収まっているか否かを判別する。そして、ＹＴＬ≦Ｔ≦ＹＴＨになっていれば、ＳＴＥＰ７で停止スイッチ７４がオンされたか否かを判別し、オンされるまではＳＴＥＰ５に戻って打たせ湯を継続する。停止スイッチ７４がオンされたときは、ＳＴＥＰ９以下の打たせ湯停止処理を行う。また、Ｔ＜ＹＴＬ或いはＴ＞ＹＴＨになったときは、ＳＴＥＰ８でこの状態が所定時間(例えば、５秒)継続したか否かを判別し、所定時間継続したときは、停止スイッチ７４がオンされたときと同様に打たせ湯停止処理を行う。一方、Ｔ＜ＹＴＬ或いはＴ＞ＹＴＨの状態が所定時間継続していないときは、ＳＴＥＰ７を経てＳＴＥＰ５に戻り、打たせ湯を継続する。これにより、給湯用熱交換器５１からの温水の温度が適温から一時的に変動した場合における打たせ湯の無用の中断を防止できる。
【００２３】
ところで、打たせ湯は打たせ湯電磁弁４６を閉弁することで停止できるが、打たせ湯ノズル４１からかなりの水量で温水を落下させているため、打たせ湯電磁弁４６の閉弁時にウォータハンマを生じやすい。そこで、本実施形態では、打たせ湯停止処理に際し、先ず、ＳＴＥＰ９で排水電磁弁４８を開弁させてからＳＴＥＰ１０で打たせ湯電磁弁４６を閉弁させている。尚、制御の応答遅れにより排水電磁弁４８が実際に開弁されるまで若干時間がかかっても、打たせ湯電磁弁４６の閉弁前に排水電磁弁４８が開弁されるように、排水電磁弁４８の開弁から１秒程度遅らせて打たせ湯電磁弁４６を閉弁させている。
【００２４】
次に、ＳＴＥＰ１１で水量調節弁４４により水量を徐々に減少させ、ＳＴＥＰ１２で水量調節弁４４に付設した水量センサの検出水量が所定の停止設定値(例えば、３Ｌ／分)以下になったか否かを判別する。そして、検出水量が停止設定値以下になったときに、ＳＴＥＰ１３で排水電磁弁１３を閉弁させ、一連の処理を終了している。
【００２５】
このように本実施形態では、打たせ湯電磁弁４６の閉弁に先行して排水電磁弁４８を開弁させるため、打たせ湯電磁弁４６の閉弁時には、給湯用熱交換器５１からの温水が排水路４７に流れ、ウォータハンマは発生しない。また、水量調節弁４４により水量を減少させてから排水電磁弁４８を閉弁させるため、排水電磁弁４８の閉弁時にウォータハンマが発生することもない。更に、水量調節弁４４による水量の減少を待つことなく打たせ湯電磁弁４６を閉弁させるため、打たせ湯を応答性良く停止することができる。
【００２６】
以上、本発明の実施形態について図面を参照して説明したが、本発明はこれに限定されない。例えば、上記実施形態は、浴室暖房機１に付設した打たせ湯装置４に本発明を適用したものであるが、浴室暖房機1とは分離独立して設ける打たせ湯装置にも同様に本発明を適用できる。
【図面の簡単な説明】
【００２７】
【図１】本発明の実施形態の打たせ湯装置を具備する浴室暖房機の設置状態を示す説明図。
【図２】図1の浴室暖房機の切断側面図。
【図３】図1の浴室暖房機の配管構造を示す回路図。
【図４】実施形態の打たせ湯制御の内容を示すフロー図。
【符号の説明】
【００２８】
ＢＴ…浴槽、４…打たせ湯装置、４１…打たせ湯ノズル、４２…打たせ湯水路、４４…水量調節弁、４６…打たせ湯電磁弁、４７…排水路、４８…排水電磁弁、５…熱源機、５１…給湯用熱交換器、６…コントローラ(制御手段)。
【図１】
2010133670.tif 000003
【図２】
2010133670.tif 000004
【図３】
2010133670.tif 000005
【図４】
2010133670.tif 000006